(57)【要約】【課題】  接続アダプタの取外時には、記録媒体の動作を停止させてから電源を遮断できるようにする。【解決手段】  接続アダプタ３の取付ネジ２８を正方向に回転操作してカメラ本体１のネジ穴部４にねじ込むことにより接続アダプタ３をカメラ本体１に固定して電気的に接続させ、取付ネジ２８を逆方向に回転操作してネジ穴部４から抜き出すことにより接続アダプタ３をカメラ本体１から取り外す操作つまみ２９と、この操作つまみ２９による接続アダプタ３の取外動作の途中でその取外動作を検出する検出スイッチ３０と、この検出スイッチ３０によって接続アダプタ３の取外動作が検出されるのに基づいて記録媒体の動作を停止させる制御部とを具備する。【選択図】      図５
2006311370.tif 000002
【特許請求の範囲】
【請求項１】
記録媒体を内蔵する機器本体と、
この機器本体の取付面に着脱自在に取り付けられ、前記記録媒体に電気的に接続される外部接続端子を有する接続アダプタと、
前記機器本体の取付面に設けられたネジ穴部と、
前記接続アダプタに設けられ、前記ネジ穴部に螺挿される取付ネジと、
この取付ネジを正方向に回転操作して前記ネジ穴部にねじ込むことにより前記接続アダプタを前記機器本体に固定して電気的に接続させ、前記取付ネジを逆方向に回転操作して前記ネジ穴部から抜き出すことにより前記接続アダプタを前記機器本体から取り外す操作手段と、
この操作手段による前記接続アダプタの取外動作の途中で、その取外動作を検出する検出手段と、
この検出手段によって前記接続アダプタの取外動作が検出されるのに基づいて前記記録媒体の動作を停止させる制御手段と
を具備することを特徴とする電子携帯機器。
【請求項２】
前記検出手段は、前記取付ネジの移動に基づいて移動する可動片と、この移動する可動片によってオン、オフされることにより前記接続アダプタの取外動作を検出する検出スイッチとを有してなることを特徴とする請求項１記載の電子携帯機器。
【請求項３】
前記検出スイッチは、前記取付ネジが正方向に回転されて第１の距離だけ前記ネジ穴部にねじ込まれるのに基づいて前記可動片によって押圧されてオン状態となり、
前記接続アダプタは前記検出スイッチがオンされた状態から前記取付ネジがさらに正方向に回転されて前記第１の距離と異なる第２の距離だけ前記ネジ穴部にねじ込まれることにより、前記機器本体に完全に固定されることを特徴とする請求項２記載の電子携帯機器。
【請求項４】
前記検出スイッチは、前記接続アダプタが固定された状態から前記取付ネジが逆方に回転されて前記第２の距離だけ逆方向に移動されることにより、オン状態からオフ状態になり、
前記接続アダプタは、前記検出スイッチがオフされた状態から、前記取付ネジがさらに逆方向に前記第１の距離だけ移動されて前記ネジ穴部から外れることにより、前記機器本体から取り外れることを特徴とする請求項３記載の電子携帯機器。
【請求項５】
前記制御手段は、前記検出スイッチがオフされるのに基づいて前記記録媒体の動作を停止させることを特徴とする請求項４記載の電子携帯機器。
【請求項６】
前記接続アダプタには、外部三脚を着脱自在に取り付けるネジ穴部を有することを特徴とする請求項１記載の電子携帯機器。
【請求項７】
前記外部接続端子は、電源端子、ＵＳＢ端子、ＡＶ端子等であることを特徴とする請求項１記載の電子携帯機器。
【請求項８】
前記機器本体の取付面に設けられたネジ穴部は、外部三脚の取付用のネジ穴部として兼用されることを特徴とする請求項１記載の電子携帯機器。
【請求項９】
被取付体のネジ穴部に螺挿される取付ネジ、及び外部接続端子を有するアダプタ本体と、
このアダプタ本体に設けられ、前記取付ネジを正方向に回転操作して前記ネジ穴部にねじ込むことにより前記アダプタ本体を前記被取付体に固定して電気的に接続させ、前記取付ネジを逆方向に回転操作して前記ネジ穴部から抜き出すことにより前記アダプタ本体を前記被取付体から取り外す操作手段と、
この操作手段による前記アダプタ本体の取外動作の途中で、その取外動作を検出する検出手段と、
を具備することを特徴とするアダプタ装置。
【発明の詳細な説明】
【技術分野】
【０００１】
本発明は、例えば、電子カメラ装置として適用される電子携帯機器及びアダプタ装置に関する。
【背景技術】
【０００２】
電子カメラ装置は、半導体メモリ（メモリカード）やハードディスク装置（ＨＤＤ）等の記録媒体に、動画および静止画を記録可能である。近年、ハードディスク装置の小型化および容量の増大に伴い、長時間かつ多くのタイトルの動画ならびに多くの枚数の静止画を記録（保存）可能なカメラ装置が実用化されている。
【０００３】
なお、ハードディスク装置の記憶容量は、静止画の枚数として示すと数１０００枚規模であり、動画の撮像時間として示すと数時間（タイトル数で数１００）程度、確保されている。
【０００４】
ところで、近時においては、携帯の電子カメラ装置は、その使用性を高めるため、より一層のコンパクト化が求められている。
【０００５】
そこで、従来においては、電子カメラ装置のコンパクト化の阻害要因となる、例えば、ＵＳＢ（Universal Serial Bus）端子、電源端子、Ａ／Ｖ出力端子等の外部接続端子をカメラ本体ではなく、別の筐体（接続アダプタ）に収納し、この筐体をカメラ本体に対して着脱自在に取り付けている。
【０００６】
即ち、撮影時等、外部接続が不要な場合には、筐体をカメラ本体から取り外して使用することにより、カメラ装置を小型化し、その使用性の向上を図るようにしている（例えば、特許文献１）。
【特許文献１】米国特許第６８７３３６７号明細書
【発明の開示】
【発明が解決しようとする課題】
【０００７】
ところで、カメラ装置で長時間撮影したい場合に必要な外部電源供給や、カメラ本体内に収納されているＨＤＤなどの記録媒体に電源を供給した場合などには、接続アダプタをカメラ本体に取り付けて電源を供給することが可能になっている。
【０００８】
この接続アダプタの使用中、たとえば、長時間の撮影中、接続アダプタを誤って取り外すと、記録媒体の動作中において電源が突然遮断されることになり、記録媒体の記録データや記録媒体が破損されてしまうという問題があった。
【０００９】
本発明は上記事情に着目してなされたもので、その目的とするところは、接続アダプタの取外動作をその途中で検出し、この検出に基づいて記録媒体の動作を停止させることにより、記録媒体の動作中に電源を突然遮断することがないようにした電子携帯機器を提供することを目的とする。
【課題を解決するための手段】
【００１０】
上記課題を解決するため、請求項１記載のものは、記録媒体を内蔵する機器本体と、この機器本体の取付面に着脱自在に取り付けられ、前記記録媒体に電気的に接続される外部接続端子を有する接続アダプタと、前記機器本体の取付面に設けられたネジ穴部と、前記接続アダプタに設けられ、前記ネジ穴部に螺挿される取付ネジと、この取付ネジを正方向に回転操作して前記ネジ穴部にねじ込むことにより前記接続アダプタを前記機器本体に固定して電気的に接続させ、前記取付ネジを逆方向に回転操作して前記ネジ穴部から抜き出すことにより前記接続アダプタを前記機器本体から取り外す操作手段と、この操作手段による前記接続アダプタの取外動作が終了する前に、その取外動作を検出する検出手段と、この検出手段によって前記接続アダプタの取外動作が検出されるのに基づいて前記記録媒体の動作を停止させる制御手段とを具備することを特徴とする。
【発明の効果】
【００１１】
本発明によれば、接続アダプタの取外時には、電源が遮断される前に記録媒体の動作を停止させることができ、記録媒体の記録データや記録媒体を破損させてしまうことがない。
【発明を実施するための最良の形態】
【００１２】
以下、本発明を図面に示す実施の形態を参照して詳細に説明する。  
図１は、本発明が適用可能な動画および静止画ならびに音声等が記録可能な電子携帯機器としての電子カメラ装置の概略を示すものである。
【００１３】
図１は、電子カメラ装置を撮影レンズ側から見た状態を示すものである。
【００１４】
電子カメラ装置のカメラ本体（機器本体）１の前面側には、撮像レンズ１１、フラッシュ１２、シャッターボタン１３、およびリモコン受信部１４等が配設されている。
【００１５】
また、カメラ本体１の一側面部には、主電源スイッチを兼ねるフレーム２１に一体に組み込まれた液晶モニタ（ＬＣＤパネル）およびスピーカが設けられている。さらに、カメラ本体１の一側面部には、主電源スイッチ２４が設けられている。この主電源スイッチ２４は、フレーム２１が閉じられる（カメラ本体１の所定の位置に収容される）ことによりオフされる。
【００１６】
また、カメラ本体１の背面側には、図４に示すように、動画の記録（録画）の開始および停止（終了）の指示（制御コマンド）を入力可能な録画ボタン４５、動作モードやさまざまな条件の入力および決定の指示を選択する指示（制御コマンド）を入力可能なジョグ（ＪＯＧ）ダイアル４６、ジョグダイアル４６により選択（ガイド）される指示を確定（実行）するための指示（制御コマンド）を入力可能な決定（ＯＫ）ボタン４７等が設けられている。なお、ＯＫ（決定）ボタン４７は、例えばジョグダイアル４６の回転中心に同軸（同心）状に位置される。
【００１７】
ところで、カメラ本体１の底面部（取付面）には、接続アダプタ３が着脱自在に取り付けられる。カメラ本体１の底面部には、図３に示すように外部三脚、及び接続アダプタ３の取付用として兼用されるネジ穴部４が設けられている。さらに、カメラ本体１の底面部には、後述する接続アダプタ３のプラグ７を接続させるコネクタ５が設けられている。コネクタ５はカメラ本体１の底面部から所定寸法陥没する状態で設けられ、ネジ穴部４に外部三脚を取り付ける際にコネクタ５が邪魔になることのないようになっている。
【００１８】
接続アダプタ３の上面部には図４に示すように、カメラ本体１のコネクタ５に接続されるプラグ７が突設されている。
【００１９】
そして、接続アダプタ３の一側面部には、商用ラインにより供給されるＡＣ電圧が、カメラ装置の動作に適した、例えばＤＣ５Ｖに変換されて供給されるＤＣ出力を入力させるための電源端子（外部接続端子）２２、パーソナルコンピュータとのデータの転送に利用されるＵＳＢ（Universal Serial Bus）端子（外部接続端子）２４およびアナログの音声（Audio）信号および映像（Video）信号を、例えばテレビ受像機に直接入力するために利用されるＡ／Ｖ出力（Out）端子（外部接続端子）２５が設けられている。
【００２０】
上記した各端子２２，２４，２５は、カメラ本体１のコネクタ５との間の電気的な接続が可能になるように接続アダプタ３のプラグ７と接続されている。
【００２１】
また、接続アダプタ３の底面部には、外部三脚を取り付けるためのネジ穴部２７が設けられ、カメラ本体１に接続アダプタ３を取り付けた状態でも外部三脚の使用が可能になっている。
【００２２】
なお、ネジ穴部２７は、カメラ本体１のネジ穴部４と同じ位置、即ち、カメラ本体１のネジ穴部４の軸上に位置するように設けられている。これにより、例えば、外部三脚を取り付ける際、接続アダプタ３を取り付けたきと取り外したときとで、違和感なく使用することが可能となる。
【００２３】
さらに、接続アダプタ３には、図４に示すように、接続アダプタ３をカメラ本体１に取り付けるための取付ネジ２８、及びこの取付ネジ２８を正逆回転させる操作手段としての操作つまみ２９が設けられている。
【００２４】
図５は接続アダプタ３の内部構成を示す分解斜視図である。
【００２５】
接続アダプタ３は２分割される上下部の筐体３ａ、３ｂを有している。上部筐体３ａには上記した取付ネジ２８、操作つまみ２９、さらに、接続アダプタ３の取外動作をその途中において検出する検出手段としての検出スイッチ３０が配設されている。操作つまみ２９はその一部が筐体３ａの側面部から外部に突出され、この突出部に指などが当てられて正逆方向に回転されるようになっている。
【００２６】
上下部の筐体３ａ、３ｂ間には、検出スイッチ３０をオン、オフさせるための可動片３１、及びこの可動片３１を取付ネジ２８の下端面に弾性的に押し付けるコイルスプリング３２が内蔵されている。
【００２７】
次に、カメラ本体１に対する接続アダプタ３の着脱動作について説明する。
【００２８】
接続アダプタ３を取付る場合には、接続アダプタ３の取付ネジ２８の上端部をカメラ本体１のネジ穴部４に対向させ、この状態から、操作つまみ２９を正方向に回転させる。この回転により、取付ネジ２８がカメラ本体１のネジ穴部４内にねじ込まれて接続アダプタ３がカメラ本体１に固定される。
【００２９】
また、接続アダプタ３を取り外す場合には、操作つまみ３を逆回転させる。この逆回転により取付ネジ２８が逆方向に移動され、カメラ本体１のネジ穴部４から外れて接続アダプタ３が取り外されることになる。
【００３０】
この接続アダプタ３の着脱動作時には、図６に示すように検出スイッチ３０がオン、オフされる。
【００３１】
即ち、接続アダプタ３の取付時においては、操作つまみ３が正方向に３回転されて取付ネジ２８が３ｍｍ（第１の距離）ネジ穴部４にねじ込まれるまでは、検出スイッチ３０はオフ状態となっている。そして、操作つまみ３の回転が３回転を超えると、検出スイッチ３０が可動片３１の押圧部３１ａによって押圧されてオン状態になる。このオン状態から操作つまみ３がさらに1回転されて合計４回転されると、取付ネジ２８がカメラ本体１のネジ穴部４にさらに１ｍｍ（第２の距離）ねじ込まれて接続アダプタ３の取り付けを終了する。
【００３２】
また、接続アダプタ３の取外時においては、操作つまみ３が逆方向に１回転されて取付ネジ２８が逆方向に１ｍｍ（第２の距離）移動されるまで検出スイッチ３０はオン状態となっている。操作つまみ３の逆回転が１回転を超えると、可動片３１の押圧部３１ａが検出スイッチ３０から離間し、検出スイッチ３０がオフ状態となる。このオフ状態から操作つまみ３が逆方向に３回転されて取付ネジ２８が逆方向に３ｍｍ（第１の距離）移動するまで検出スイッチ３０のオフ状態が継続される。
【００３３】
検出スイッチ３０は、図７に示すように送信回路を介して制御手段としての制御部３４に接続され、この制御部３４には制御回路を介してカメラ本体１内の記録媒体としてハードディスクドライブ（ＨＤＤ）３５に接続されている。制御部３４は接続アダプタ３の取外動作時に検出スイッチ３０がオフ状態になるのに基づいてＨＤＤ３５の情報処理ヘッドを退避位置に戻してその動作を停止させるようになっている。
【００３４】
なお、本明細書中、ＨＤＤ３５の動作を停止するとは、（１）ＨＤＤ３５の情報処理ヘッドを退避位置に戻す、（２）ＨＤＤ３５の情報処理ヘッドを退避位置に戻すとともに、ＨＤＤ３５内のディスクの回転を停止させる、いずれであっても良い。最低、ＨＤＤ３５の情報処理ヘッドを退避位置に戻す必要がある。
【００３５】
ところで、上記した接続アダプタ３をカメラ本体１に取り付けた状態で例えば、長時間撮影している最中に、接続アダプタ３を誤って取り外してしまうと、ＨＤＤ３５の動作中に突然電源が遮断されることになり、ＨＤＤ３５の記録データが破損してしまう虞がある。
【００３６】
しかしながら、この発明では、上記したように、接続アダプタ３の取外動作時に操作つまみ３が逆方向に１回転以上回転されると、接続アダプタ３の取外動作の途中で検出スイッチ３０がオフ状態になり、このオフ信号が制御部３４に送信される。この送信があると、制御部３４はＨＤＤ３５の情報処理ヘッドを待機位置へ戻してＨＤＤ３５の動作を停止させる。
【００３７】
従って、ＨＤＤ３５の動作中に接続アダプタ３の取外しによって突然電源を遮断してしまうことがなく、ＨＤＤ３５の記録データの破損を確実に防止することができる。
【００３８】
上記したように、この実施の形態によれば、接続アダプタ３の取外動作をその途中で検出し、この検出に基づいて記録媒体３５の動作を停止させるため、記録媒体３５の動作中に突然電源を遮断させてしまうことがなく、記録データの損傷等を確実に防止することができる。
【００３９】
また、接続アダプタ３に外部三脚のネジ穴部２７を設けるため、カメラ本体１に接続アダプタ３を取り付けた状態においても、外部三脚の使用が可能になる。
【００４０】
さらに、カメラ本体１の底面部に設けられている外部三脚取付用のネジ穴部４を接続アダプタ３の取付用のネジ穴部として利用するため、カメラ本体１の底面部に接続アダプタ３取付用のネジ穴部を別途特別に設ける必要がない。
【００４１】
また、カメラ本体１に接続アダプタ３を装着することにより、外部電源供給が可能となり、長時間撮影にも対応することができる。
【００４２】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００４３】
【図１】本発明の一実施の形態である電子カメラ装置を示す斜視図。
【図２】同電子カメラ装置のＬＣＤが開放された状態を示す斜視図。
【図３】同カメラ本体から接続アダプタが取り外された状態を示す斜視図。
【図４】同カメラ本体から接続アダプタが取り外された状態を異なる方向から示す斜視図。
【図５】同接続アダプタを示す分解斜視図。
【図６】同検出スイッチの動作タイミングを示す図。
【図７】同記録媒体の駆動制御系を示すブロック図。
【符号の説明】
【００４４】
１…カメラ本体（機器本体）、３…接続アダプタ、４…ネジ穴部、２２…電源端子（外部接続端子）、２４…ＵＳＢ端子（外部接続端子）、２５…ＡＶ端子（外部接続端子）、２７…ネジ穴部、２８…取付ネジ、２９…操作つまみ（操作手段）、３０…検出スイッチ（検出手段）、３１…可動片、３４…制御部（制御手段）、３５…記録媒体。
【図１】
2006311370.tif 000003
【図２】
2006311370.tif 000004
【図３】
2006311370.tif 000005
【図４】
2006311370.tif 000006
【図５】
2006311370.tif 000007
【図６】
2006311370.tif 000008
【図７】
2006311370.tif 000009